【手続補正書】
【提出日】平成17年12月12日(2005.12.12)
【手続補正１】
【補正対象書類名】明細書
【補正対象項目名】発明の名称
【補正方法】変更
【補正の内容】
【発明の名称】写真プリント提供装置および方法ならびにプログラム
【手続補正２】
【補正対象書類名】明細書
【補正対象項目名】特許請求の範囲
【補正方法】変更
【補正の内容】
【特許請求の範囲】
【請求項１】
被写体を撮影する撮影手段と、
上記撮影手段で撮影された撮影画像に対して編集画像の入力を受け付ける編集受付手段と、
上記編集受付手段に対して編集入力を行う複数の入力手段とを備え、
上記編集受付手段は、
編集画像の入力において使用する編集ツールの選択を受け付けるツール選択部が、上記複数の入力手段いずれもからの選択を受け付けるよう設けられる一方、
上記ツール選択部で選択された編集ツールに応じた編集画像の選択を受け付ける編集画像選択部が、上記複数の入力手段それぞれに対応して複数設けられていることを特徴とする写真プリント提供装置。
【請求項２】
上記編集受付手段は、入力した編集画像の消去を受け付ける編集画像消去部が、上記複数の入力手段のそれぞれに対応して複数設けられている請求項１記載の写真プリント提供装置。
【請求項３】
上記編集受付手段は、上記ツール選択部で選択された編集ツールのさらに細かな種別を選択するための編集画像種別選択部が設けられ、
上記ツール選択部で編集ツールを選択するとともに、上記編集画像種別選択部でさらに細かな編集ツールの種別を選択することにより、上記編集画像選択部に、上記選択された種別で入力可能な編集画像を選択可能に表示されるように構成されている請求項１または２記載の写真プリント提供装置。
【請求項４】
被写体を撮影する撮影手段と、
上記撮影手段で撮影された撮影画像に対して編集画像の入力を受け付ける編集受付手段と、
上記編集受付手段に対して編集入力を行う複数の入力手段とを備えた装置において写真プリントを提供する方法であって、
複数の入力手段いずれもからの選択を受け付けるツール選択部において、編集画像の入力において使用する編集ツールの選択を受け付けるツール選択ステップと、
上記複数の入力手段それぞれに対応して複数設けられた編集画像選択部において、上記ツール選択ステップで選択された編集ツールに応じた編集画像の選択を受け付ける編集画像選択ステップとを実行することを特徴とする写真プリント提供方法。
【請求項５】
上記複数の入力手段のそれぞれに対応して設けられた編集画像消去部において、入力した編集画像の消去を受け付ける編集画像消去ステップを実行する請求項４記載の写真プリント提供方法。
【請求項６】
編集画像種別選択部において、上記ツール選択部で選択された編集ツールのさらに細かな種別の選択を受け付ける編集画像種別選択ステップをさらに実行し、
上記ツール選択部で編集ツールを選択するとともに、上記編集画像種別選択部でさらに細かな編集ツールの種別を選択することにより、上記編集画像選択部に、上記選択された種別で入力可能な編集画像を選択可能に表示する請求項４または５記載の写真プリント提供方法。
【請求項７】
被写体を撮影する撮影手段と、
上記撮影手段で撮影された撮影画像に対して編集画像の入力を受け付ける編集受付手段と、
上記編集受付手段に対して編集入力を行う複数の入力手段とを備えた装置において写真プリントを提供するプログラムであって、
複数の入力手段いずれもからの選択を受け付けるツール選択部において、編集画像の入力において使用する編集ツールの選択を受け付けるツール選択ステップと、
上記複数の入力手段それぞれに対応して複数設けられた編集画像選択部において、上記ツール選択ステップで選択された編集ツールに応じた編集画像の選択を受け付ける編集画像選択ステップとをコンピュータ装置に実行させることを特徴とする写真プリント提供プログラム。
【請求項８】
上記複数の入力手段のそれぞれに対応して設けられた編集画像消去部において、入力した編集画像の消去を受け付ける編集画像消去ステップを実行する請求項７記載の写真プリント提供プログラム。
【請求項９】
編集画像種別選択部において、上記ツール選択部で選択された編集ツールのさらに細かな種別の選択を受け付ける編集画像種別選択ステップをさらに実行し、
上記ツール選択部で編集ツールを選択するとともに、上記編集画像種別選択部でさらに細かな編集ツールの種別を選択することにより、上記編集画像選択部に、上記選択された種別で入力可能な編集画像を選択可能に表示する請求項７または８記載の写真プリント提供プログラム。
【手続補正３】
【補正対象書類名】明細書
【補正対象項目名】０００１
【補正方法】変更
【補正の内容】
【０００１】
【発明の属する技術分野】
本発明は、ゲームセンター等に設置され、硬貨等の投入により使用者を撮影し、撮影画像をプリントして販売する写真プリント提供装置および方法ならびにプログラムに関するものである。
【手続補正４】
【補正対象書類名】明細書
【補正対象項目名】０００８
【補正方法】変更
【補正の内容】
【０００８】
本発明は、このような事情に鑑みなされたもので、利用者に対して高い遊戯性のあるプレイを提供でき、複数人で同時に操作する場合において優れた操作性を発揮する写真プリント撮影装置ならびにプログラムの提供を目的とする。
【手続補正５】
【補正対象書類名】明細書
【補正対象項目名】０００９
【補正方法】変更
【補正の内容】
【０００９】
【課題を解決するための手段】
上記の目的を達成するため、本発明の写真プリント提供装置は、被写体を撮影する撮影手段と、上記撮影手段で撮影された撮影画像に対して編集画像の入力を受け付ける編集受付手段と、上記編集受付手段に対して編集入力を行う複数の入力手段とを備え、上記編集受付手段は、編集画像の入力において使用する編集ツールの選択を受け付けるツール選択部が、上記複数の入力手段いずれもからの選択を受け付けるよう設けられる一方、上記ツール選択部で選択された編集ツールに応じた編集画像の選択を受け付ける編集画像選択部が、上記複数の入力手段それぞれに対応して複数設けられていることを要旨とする。  また、本発明の写真プリント提供方法は、被写体を撮影する撮影手段と、上記撮影手段で撮影された撮影画像に対して編集画像の入力を受け付ける編集受付手段と、上記編集受付手段に対して編集入力を行う複数の入力手段とを備えた装置において写真プリントを提供する方法であって、複数の入力手段いずれもからの選択を受け付けるツール選択部において、編集画像の入力において使用する編集ツールの選択を受け付けるツール選択ステップと、上記複数の入力手段それぞれに対応して複数設けられた編集画像選択部において、上記ツール選択ステップで選択された編集ツールに応じた編集画像の選択を受け付ける編集画像選択ステップとを実行することを要旨とする。
また、本発明の写真プリント提供プログラムは、被写体を撮影する撮影手段と、上記撮影手段で撮影された撮影画像に対して編集画像の入力を受け付ける編集受付手段と、上記編集受付手段に対して編集入力を行う複数の入力手段とを備えた装置において写真プリントを提供するプログラムであって、複数の入力手段いずれもからの選択を受け付けるツール選択部において、編集画像の入力において使用する編集ツールの選択を受け付けるツール選択ステップと、上記複数の入力手段それぞれに対応して複数設けられた編集画像選択部において、上記ツール選択ステップで選択された編集ツールに応じた編集画像の選択を受け付ける編集画像選択ステップとをコンピュータ装置に実行させることを要旨とする。
【手続補正６】
【補正対象書類名】明細書
【補正対象項目名】００１０
【補正方法】変更
【補正の内容】
【００１０】
このようにすることにより、本発明は、編集入力の際に、相手と手がぶつかったり、操作したいボタン等が相手の手で隠れて見えにくくなったりする不都合が解消されて極めて操作性が向上する。
【手続補正７】
【補正対象書類名】明細書
【補正対象項目名】００１１
【補正方法】変更
【補正の内容】
【００１１】
本発明において、上記編集受付手段は、入力した編集画像の消去を受け付ける編集画像消去部が、上記複数の入力手段のそれぞれに対応して複数設けられている場合、および上記複数の入力手段のそれぞれに対応して設けられた編集画像消去部において、入力した編集画像の消去を受け付ける編集画像消去ステップを実行する場合には、それぞれの利用者が自分の操作において１回前や２回前の操作に戻したいときに、相手が入力した操作を戻す必要がなく、相手の入力手段で入力した画像に影響することなく、操作を戻すことができ、入力者間でのトラブルを防ぐことができる。
本発明において、上記編集受付手段は、上記ツール選択部で選択された編集ツールのさらに細かな種別を選択するための編集画像種別選択部が設けられ、上記ツール選択部で編集ツールを選択するとともに、上記編集画像種別選択部でさらに細かな編集ツールの種別を選択することにより、上記編集画像選択部に、上記選択された種別で入力可能な編集画像を選択可能に表示されるように構成されている場合、および編集画像種別選択部において、上記ツール選択部で選択された編集ツールのさらに細かな種別の選択を受け付ける編集画像種別選択ステップをさらに実行し、上記ツール選択部で編集ツールを選択するとともに、上記編集画像種別選択部でさらに細かな編集ツールの種別を選択することにより、上記編集画像選択部に、上記選択された種別で入力可能な編集画像を選択可能に表示する場合には、ツール選択部で選択された編集ツールのさらに細かな種別を選択して編集入力できる。
【手続補正８】
【補正対象書類名】明細書
【補正対象項目名】００１２
【補正方法】変更
【補正の内容】
【００１２】
また、本発明において、表示手段は、撮影画像を表示する撮影画像表示部と装飾画像を表示する装飾画像表示部とから構成され、手指入力手段は、上記装飾画像表示部に表示された装飾画像の指定入力を手指の接触によって受け付けるとともに、指定された装飾画像の移動入力を上記接触された手指の移動によって受け付け、上記表示手段は、上記指定入力が行なわれた装飾画像を、上記移動入力に従って装飾画像表示部から撮影画像表示部内に移動させて表示する。そして、撮影画像表示部に移動され表示された装飾画像が編集画像として静止画像と合成されてプリンタにより印刷出力される場合には、使用者が撮影画像を装飾する際には、装飾画像表示部に表示された装飾画像を手指で触って指定し、そのまま手指を移動して装飾画像を撮影画像表示部まで移動することにより行なうことができる。このように、画面を手指で直接触ってドラッグ操作することにより撮影画像の装飾を行なうことができ、撮影画像の装飾に対して体感的な楽しみを付加することができ、遊戯性の高いプレイを提供できる。また、入力ペンのような入力装置を介さずに手指を直接操作して入力を行うため、入力の操作感覚が直接的で微妙な操作を行いやすくなる。
【手続補正９】
【補正対象書類名】明細書
【補正対象項目名】００２１
【補正方法】削除
【補正の内容】
【手続補正１０】
【補正対象書類名】明細書
【補正対象項目名】００２２
【補正方法】削除
【補正の内容】
【手続補正１１】
【補正対象書類名】明細書
【補正対象項目名】００２３
【補正方法】削除
【補正の内容】
【手続補正１２】
【補正対象書類名】明細書
【補正対象項目名】０１３４
【補正方法】変更
【補正の内容】
【０１３４】
【発明の効果】
以上のように、本発明は、編集入力の際に、相手と手がぶつかったり、操作したいボタン等が相手の手で隠れて見えにくくなったりする不都合が解消されて極めて操作性が向上する。